(57)【要約】【課題】薄板状のスピーカグリルの破損を抑制できる遊技機を提供する。【解決手段】スピーカベース１０２と、スピーカベース１０２に取り付けられる薄板状のスピーカグリル１０３とを備え、スピーカベース１０２は、当接面１２１と、この当接面１２１から内側に突出し、かつ当接面１２１の周方向に所定間隔で設けられた複数の補強部１２２とを備え、当接面１２１および補強部１２２にスピーカグリル１０３の外周縁部が当接されているので、スピーカグリル１０３の外周縁部を背面側から補強できる。このため遊技者が不意にスピーカグリル１０３を押圧しても、スピーカグリル１０３が内側に撓んだり押し込まれたりし難くなるので、スピーカグリル１０３の破損を抑制できる。【選択図】図２
2019017529.tif 000002
【特許請求の範囲】
【請求項１】
スピーカが取り付けられるスピーカベースと、このスピーカベースに前記スピーカの前方において取り付けられる薄板状のスピーカグリルとを備えた遊技機であって、
前記スピーカベースは、前記スピーカグリルの外周縁部に沿う当接面と、この当接面から内側に突出し、かつ前記当接面の周方向に所定間隔で設けられた複数の補強部とを備え、
前記当接面および前記補強部に前記スピーカグリルの外周縁部が当接されていることを特徴とする遊技機。
【請求項２】
正面視において前記補強部の少なくとも一部が前記スピーカに重なっていないことを特徴とする請求項１に記載の遊技機。
【請求項３】
前記スピーカグリルの前方に前側部材が設けられ、
前記スピーカグリルの外周縁部は、前記前側部材と前記当接面とによって挟み付けられていることを特徴とする請求項１または２に記載の遊技機。
【発明の詳細な説明】
【技術分野】
【０００１】
本発明は、スピーカを備えた遊技機に関する。
【背景技術】
【０００２】
スピーカを備えた遊技機の一例として特許文献１および特許文献２に記載のものが知られている。
特許文献１に記載の遊技機では、導音路が形成されたホーンの放音口がスピーカの出力部に接続され、ホーンの導音路を、放音口から放出される音の通過を許容する複数の通孔を有する保護部材によって、放音口より開口面積が大きな部位で塞いでいる。そして、保護部材の通孔の総開口面積を、放音口の開口面積の７０％以上に設定している。
また、特許文献２に記載の遊技機では、スピーカとこのスピーカより発せられる音を通す透音孔を有し、かつスピーカを覆って設けられたスピーカカバーを備え、透音孔の総開口面積を、スピーカの放音部の開口面積の５０％以上に設定している。
【先行技術文献】
【特許文献】
【０００３】
【特許文献１】特開２０１４−８１７０号公報
【特許文献２】特開２００３−１２６３３８号公報
【発明の概要】
【発明が解決しようとする課題】
【０００４】
ところで、遊技機にスピーカを設ける場合、スピーカグリルを、スピーカが取り付けられるスピーカベースと一体的に樹脂等で形成すると、スピーカグリルの厚さが比較的厚くなる場合が多いが、遊技機は部材の設置スペースが限られているため、スピーカグリルが厚くなるとその設置スペースを確保するのが容易でない。このため、スピーカグリルを薄板状に形成することが考えられる。
しかし、スピーカグリルが薄板状であると、スピーカグリルの剛性が低くなり、遊技者が不意にスピーカグリルを押圧した際にスピーカグリルが内側に撓んだり押し込まれたりして、スピーカグリルが破損する虞がある。
【０００５】
本発明は、前記事情に鑑みてなされたもので、薄板状のスピーカグリルの破損を抑制できる遊技機を提供することを目的とする。
【課題を解決するための手段】
【０００６】
前記目的を達成するために、本発明の遊技機は、スピーカが取り付けられるスピーカベースと、このスピーカベースに前記スピーカの前方において取り付けられる薄板状のスピーカグリルとを備えた遊技機であって、
前記スピーカベースは、前記スピーカグリルの外周縁部に沿う当接面と、この当接面から内側に突出し、かつ前記当接面の周方向に所定間隔で設けられた複数の補強部とを備え、前記当接面および前記補強部に前記スピーカグリルの外周縁部が当接されていることを特徴とする。
ここで、前記当接面は、スピーカグリルの外周縁部に沿っていれば、無端状、つまり連続的に設けられた異形環状であってもよいし、断続的に設けられていてもよい。
【０００７】
本発明においては、当接面および補強部にスピーカグリルの外周縁部が当接されることによって、スピーカグリルの外周縁部を背面側から補強できる。このため遊技者が不意にスピーカグリルを押圧しても、スピーカグリルが内側に撓んだり押し込まれたりし難くなるので、スピーカグリルの破損を抑制できる。
【０００８】
本発明の前記構成において、正面視において前記補強部の少なくとも一部が前記スピーカに重なっていないことが好ましい。
【０００９】
このような構成によれば、補強部の少なくとも一部がスピーカに重なっていないので、補強部の全体が正面視においてスピーカに重なることがない。このため、補強部を設けたことによるスピーカグリルの開口率の低下を抑制できる。
【００１０】
ここで、スピーカグリルの開口率とは、スピーカグリルには音の通過を許容する多数の通孔が形成されているので、スピーカ（のコーン）を正面視した際の当該スピーカの面積に対する通孔の総開口面積の割合を意味する。また、スピーカグリルとスピーカとの間に上述したような補強部が存在する場合、正面視において補強部の少なくとも一部がスピーカと重なるため、この重なっている面積を前記総開口面積から減じた面積の、前記スピーカの面積に対する割合のことを意味する。
【００１１】
また、本発明の前記構成において、前記スピーカグリルの前方に前側部材が設けられ、
前記スピーカグリルの外周縁部は、前記前側部材と前記当接面とによって挟み付けられていてもよい。
【００１２】
このような構成によれば、スピーカグリルの外周縁部を前側部材と当接面とによって補強できるとともに、スピーカグリルを確実に固定できる。
【発明の効果】
【００１３】
本発明によれば、当接面および補強部によってスピーカグリルの外周縁部を背面側から補強することで、遊技者が不意にスピーカグリルを押圧しても、スピーカグリルが内側に撓んだり押し込まれたりし難くなるので、スピーカグリルの破損を抑制できる。
【図面の簡単な説明】
【００１４】
【図１】本発明の実施の形態に係る遊技機の一例を示すもので、その斜視図である。
【図２】同、スピーカ装置の分解斜視図である。
【図３】同、スピーカとスピーカ保持部材を示す斜視図である。
【図４】同、スピーカベースの正面図である。
【図５】同、スピーカベースにスピーカグリルを取り付けた状態を示す正面図である。
【図６】同、スピーカグリルの正面図である。
【図７】同、スピーカ装置の断面図である。
【図８】同、前側部材の要部を示す正面図である。
【図９】同、スピーカベースにスピーカを取り付けた状態を示す正面図である。
【発明を実施するための形態】
【００１５】
以下、本発明の実施の形態について図面を参照して説明する。
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１６】
まず、発明が適用されるスロットマシンＭの概略構成について説明する。
図１はスロットマシンＭを示す斜視図である。このスロットマシンＭは、筐体１を備えており、この筐体１は、底板、左右の側板、天板および背板を備え、当該筐体１の正面側に開口する正面開口部を有する箱形に形成されている。なお、底板の上面には、図示は省略するが、各部品に電力を供給するための電源装置を内蔵した電源ユニット、メダルを貯留するとともにメダルを払い出す払い出し装置としてのホッパーユニット等が設けられている。
【００１７】
また、筐体１の正面には、筐体１の正面開口部を開閉可能に閉塞する前扉３が設けられており、この前扉３は、前記正面開口部の開口上部を開閉可能に閉塞する上扉３０と、開口下部を開閉可能に閉塞する下扉４０とを備えている。
前記筐体１内には、図示は省略するが、交換ユニットが着脱可能に設けられている。交換ユニットは、種々の部品を設置あるいは固定するための支持体としての枠体と、この枠体に固定されたリールユニットおよび基板ユニットとから構成されている。ここで、リールユニットは、周囲に複数の図柄を表示した３個の回転リールと、回転リールを回転させるための駆動モータ（ステッピングモータ）を有している。また、基板ユニットは、ＣＰＵ、ＲＯＭ、ＲＡＭ、Ｉ／Ｏ等の電子部品を備えた基板を、基板ケースに収納したものである。そして、基板ユニットは、スロットマシンＭの遊技を制御するための遊技制御装置として機能する。
【００１８】
上扉３０の下部中央には、表示窓３１が設けられ、この表示窓３１の奥には、前記３個の回転リールが横一列に設けられている。各回転リールの外周面には複数種類の図柄が配列されており、回転リールが停止すると表示窓を通して１リール当たり３個の図柄が表示される。スロットマシンＭでは、横３本と斜め２本とからなる計５本の入賞有効ラインが設定されている。
そして、３個の回転リールが停止したときに入賞有効ライン上に停止した図柄の組み合わせによって当選役が入賞したか否かが表示される。
また、上扉３０の上部中央には、表示窓３１の上方に表示窓３２が設けられている。この表示窓３２は上扉３０に設けられた液晶表示パネルを有する画像表示装置（ディスプレイ）の表示面を見るために設けられたものであり、この画像表示装置では、その表示面に遊技機における演出用の画像が表示されるようになっている。なお、画像表示装置は、演出用の画像を表示できるものであれば、液晶ディスプレイ以外のディスプレイであってもよい。
また、上扉３０の表示窓３２の上部および左右両側部には、報知や演出などを行うためのランプ３３ａ,３３ｂが設けられている。
【００１９】
また、上扉３０は、筐体１内に設けられた前記交換ユニットにヒンジを介して回動可能に連結されることで、筐体１の開口上部を開閉するようになっている。また、下扉４０は筐体１にヒンジを介して回動可能に連結されることで、筐体１の開口下部を開閉するようになっている。
【００２０】
なお、このスロットマシンＭは、分離型筐体タイプの構造を有するものであり、遊技店における機種の交換時に、上扉３０が回動自在に取り付けられた交換ユニットを交換するようになっており、機種の交換時に筐体１、下扉４０および筐体１内の電源ユニットやホッパーユニット等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０とに分けない一体の構造としてもよい。また、上扉３０と下扉４０とに分ける場合に、上扉３０を、筐体１の側板にヒンジを介して回動自在に取り付けてもよい。
また、上扉３０の下端部には、下扉４０の前面より後方側で下扉４０の上端より下側に突出する係合部が設けられ、下扉４０が閉じた状態で、上扉３０を開放することができない構造になっている。
【００２１】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２２】
また、下扉４０の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３ｄが設けられている。
【００２３】
また、ランプ３３ａの左右両側にそれぞれスピーカ装置１００，１００が設けられている。スピーカ装置１００，１００は各種効果音を発するもので、例えば表示窓３２を通して見える液晶表示パネルを有する画像表示装置に表示される演出画像に合わせて各種効果音をスピーカから発する出力することで、遊技の臨場感や興趣を高めるようにしている。なお、左右のスピーカ装置１００，１００は左右対称に設けられているため、以下では右側のスピーカ装置１００について説明し、左側のスピーカ装置１００の説明は省略する。
【００２４】
スピーカ装置１００は、図２および図３に示すように、スピーカ１０１と、このスピーカ１０１が取り付けられるスピーカベース１０２と、このスピーカベース１０２にスピーカ１０１の前方において取り付けられる薄板状のスピーカグリル１０３と、スピーカ１０１を保持するスピーカ保持部材１０４とを備えている。
スピーカ１０１は、図３に示すように、先端部にパッキン材（ガスケット）１０１ｃを備えたスピーカ本体１０１ａと、このスピーカ本体１０１ａの先端部に設けられたフランジ部１０１ｂとを備えている。
スピーカ本体１０１ａは内部にコーンを備えるとともに、後端部にボイスコイル等が設けられたものであり、このスピーカ本体１０１ａとフランジ部１０１ｂとは金属によって一体的に形成されている。また、パッキン材１０１ｃは、ゴム等によって形成されたものであり、スピーカ本体１０１ａの先端部に設けられた環状の凹部に嵌め込まれている。また、パッキン材１０１ｃの先端面はフランジ部１０１ｂより前方に突出している。このパッキン材１０１ｃがスピーカベース１０２の裏面に密着することによって、音漏れを防止している。
フランジ部１０１ｂは、外形が略長方形状に形成されたものであり、当該フランジ部１０１ｂの四隅部にはそれぞれ取付孔１０１ｅが設けられている。
【００２５】
スピーカ保持部材１０４は、略矩形箱状に形成されており、その前面と後面は開口しており、内部には収容部１０４ａが設けられている。そして、スピーカ１０１はそのスピーカ本体１０１ａが収容部１０４ａに収容されるとともに、フランジ部１０１ｂがスピーカ保持部材１０４の前面に当接されている。
そして、スピーカ保持部材１０４の３つの取付孔１０４ｅに後方から図示しないねじを挿通し、フランジ部１０１ｂの３つの取付孔１０１ｅに挿通したうえで、当該ねじをスピーカベース１０２の裏面側に設けられた孔にねじ込むことによって、スピーカ保持部材１０４、スピーカ１０１およびスピーカベース１０２が一体化されている。なお、３つの取付孔１０１ｅとは、図３において、右上隅部の取付孔１０１ｅを除いた他の３つの取付孔１０１ｅのことである。
また、フランジ部１０１ｂの残りの取付孔１０１ｅには後方から図示しないねじが挿通され、このねじがスピーカベース１０２の裏面側に設けられた孔にねじ込まれている。
【００２６】
また、スピーカ保持部材１０４の上部には係合溝１０４ｂ，１０４ｂが左右に対向して設けられており、この係合溝１０４ｂ，１０４ｂにはスピーカ１０１を制御するための制御基板１０５の左右両端部が係合している。なお、この制御基板１０５は、遊技機の内部に設けられている図示しない制御基板と接続される中継基板である。
また、スピーカ保持部材１０４の上部には係合溝１０４ｂ，１０４ｂの間において係止爪１０４ｃと押え板１０４ｄとが左右に離間して設けられており、この係止爪１０４ｃが制御基板１０５の長辺方向に沿う一方の側縁部に係止され、押え板１０４ｄによって制御基板１０５が上方から押えられている。
【００２７】
スピーカベース１０２は、図２および図４に示すように、上面壁１０２ａ、下面壁１０２ｂ、左側面壁１０２ｃおよび右側面壁１０２ｄからなるリング状の周壁部１２０を有している。左側面壁１０２ｃには取付孔１０６ａを有する取付部１０６が設けられ、右側面壁１０２ｄには取付孔１０７ａを有する取付部１０７が設けられている。また、右側面壁１０２ｄと下面壁１０２ｂとの角部には取付孔１０８ａを有する取付部１０８が設けられている。
そして、取付孔１０６ａ，１０７ａ，１０８ａに後方から図示しないねじを挿通し、当該ねじを前側部材１１０の裏面側に設けられた孔にねじ込むことによって、スピーカベース１０２が前側部材１１０に取り付けられている。前側部材１１０は、図１に示すように、スロットマシン（遊技機）Ｍの幅方向に延在する部材であり、前扉３０の上部に設けられている。前側部材１１０はその中央部にランプ３３ａを備えるとともに、左右両端部にスピーカ装置１００，１００を備えている。
【００２８】
また、スピーカベース１０２は、図４に示すように、スピーカグリル１０３の外周縁部に沿う異形環状の当接面１２１と、この当接面１２１から内側に突出し、かつ当接面１２１の周方向に所定間隔で設けられた複数の補強部１２２とを備えている。なお、当接面１２１は、スピーカグリル１０３の外周縁部に沿っていれば、連続的に設けられた異形環状であってもよいし、断続的に設けられていてもよい。
当接面１２１は前記周壁部１２０の先端面に形成されている。当接面１２１はスピーカグリル１０３の外周縁部にほぼ沿って形成されている。すなわち、図５に示すように。当接面１２１は、スピーカグリル１０３の右上側部と下部中央部においてスピーカグリル１０３の外周縁部より若干上方にはみ出しており、スピーカグリル１０３の右側部においてスピーカグリル１０３の外周部より若干内側に位置している。なお、スピーカグリル１０３の外周縁部と当接面１２１とほぼ等しい形状としてもよい。すなわち、スピーカグリル１０３の外周縁部と当接面１２１とが正面視においてほぼ重なっていてもよい。
【００２９】
補強部１２２は、図２および図４に示すように、周壁部１２０の上面壁１０２ａと下面壁１０２ｂの内側の面にそれぞれ形成されている。また、補強部１２２は上面壁１０２ａと下面壁１０２ｂの内側の面から内側に突出して形成された凸条１２２で構成されている。補強部（凸条）１２２は周壁部１２０の軸方向に延在しており、左右に所定間隔で配置されている。なお、補強部１２２を左側面壁１０２ｃおよび右側面壁１０２ｄに形成してもよい。
図２に示すように、下面壁１０２ｂは右側に向かうほど前後の幅が広くなっているので、当該下面壁１０２ｂの内面（上面）に形成される複数（３本）の補強部１２２の長さは、右側に向かうほど長くなっている。また、上面壁１０２ａも右側に向かうほど前後の幅が広くなっているので、当該上面壁１０２ａの内面（下面）に形成される複数（３本）の補強部１２２の長さも、右側に向かうほど長くなっている。
さらに、図９に示すように、スピーカ１０１を正面視した場合において、複数の補強部１２２の左右の幅寸法はほぼ等しくなっており、下面壁１０２ｂの内面に形成された複数の補強部１２２の高さ（下面壁１０２ｂの内面からの高さ）は右側のものほど低くなっており、上面壁１０２ａの内面に形成された複数の補強部１２２の高さ（上面壁１０２ａの内面からの高さ）はほぼ等しくなっている。また、下面壁１０２ｂの内面に形成された複数の補強部１２２は、右側のものほど、スピーカ１０１の前面を塞ぐ割合が大きくなっている、つまり、右側のものほど、正面視においてスピーカ１０１の前面に重なっている面積が大きくなっており、最も左側にある補強部１２２はスピーカ１０１の前面に重なっておらず、上面壁１０２ａの内面に形成された複数の補強部１２２はスピーカ１０１の前面を塞ぐ割合がほぼ等しくなっている。また、補強部１２２の上面（スピーカベース１０２の内側を向く面）は略半円筒面状に形成され、さらに補強部１２２の先端面１２２ａは当接面１２１とほぼ面一になっている。
なお、本実施の形態では、補強部１２２は周壁部１２０の軸方向に延在する凸条であるが、これに限ることはない。例えば、周壁部１２０の内面から突出し、かつ、当接面１２１とほぼ面一の当接面を有する凸部であってもよい。
【００３０】
スピーカグリル１０３は、図６に示すように、金属の薄板で形成されたパンチングメタルであり、音の通過を許容する多数の通孔１０３ａを有している。また、スピーカグリル１０３の外周縁部のうち右側の下縁部には前記取付部１０８の一部に係合する略半円状の係合部１０３ｂが形成され、右側の上縁部には前記取付部１０７の一部に係合する係合する略１／４円状の係合部１０３ｃが形成されている。
【００３１】
このようなスピーカグリル１０３は、図５および図７に示すように、その外周縁部の裏面がスピーカベース１０２の当接面１２１および補強部１２２の先端面１２２ａに当接されている。この状態において、図５に示すように、スピーカグリル１０３の係合部１０３ｂと係合部１０３ｃとがそれぞれスピーカベース１０２の取付部１０８と取付部１０７とに係合している。これによって、スピーカグリル１０３がスピーカベース１０２に対して（上下左右方向の）位置決めされる。
そして、スピーカグリル１０３の外周縁部は、前側部材１１０と当接面１２１とによって挟み付けられている。すなわち、当接面１２１を有するスピーカベース１０２の取付孔１０６ａ，１０７ａ，１０８ａ（図２参照）に後方から図示しないねじを挿通し、当該ねじを前側部材１１０の裏面側に設けられた孔にねじ込むことによって、スピーカベース１０２が前側部材１１０に取り付けられ、これによって、当接面１２１が前側部材１１０の裏面側に設けられた受面１１０ａに押圧されるので、スピーカグリル１０３の外周縁部は、前側部材１１０の受面１１０ａと当接面１２１とによって挟み付けられている。
【００３２】
また、図５および図８に示すように、正面視において、補強部１２２はスピーカグリル１０３の多数の通孔１０３ａのうちの略１０個程度に重なっているだけである。
また、図９に示すように、スピーカベース１０２の正面視において、スピーカベース１０２に設けられた補強部１２２の少なくとも一部は、スピーカ１０１に重なっておらず、重なっているのは６個の補強部１２２のうち下側の２つの補強部１２２の上端部と、上側の３つの補強部１２２である。また、上側の３つの補強部１２２は突出高さが下側の補強部３つの補強部１２２より低い。
したがって、補強部１２２を設けたことによるスピーカグリル１０３の開口率の低下を抑制できる。
【００３３】
以上のように本実施の形態によれば、スピーカベース１０２は、異形環状の当接面１２１と、この当接面１２１から内側に突出し、かつ当接面１２１の周方向に所定間隔で設けられた複数の補強部１２２とを備え、当接面１２１および補強部１２２にスピーカグリル１０３の外周縁部が当接されているので、当接面１２１および補強部１２２によってスピーカグリル１０３の外周縁部を背面側（裏面側）から補強できる。このため遊技者が不意にスピーカグリル１０３を正面側から押圧しても、スピーカグリル１０３が内側に撓んだり押し込まれたりし難くなるので、スピーカグリル１０３の破損を抑制できる。
【００３４】
また、正面視において補強部１２２の少なくとも一部がスピーカ１０１に重なっておらず、重なっているのは、６個の補強部１２２のうち下側の２つの補強部１２２の上端部と、上側の３つの補強部１２２であるので、補強部１２２の全体が正面視においてスピーカ１０１に重なることがない。このため、補強部１２２を設けたことによるスピーカグリル１０３の開口率の低下を抑制できる。
また、図９に示すように、下面壁１０２ｂの内面に形成された複数の補強部１２２は、右側のものほど、スピーカ１０１の前面を塞ぐ割合が大きくなっており、最も左側にある補強部１２２はスピーカ１０１の前面に重なっていない。そして、このように重なっていない最も左側に位置する補強部１２２は高さが最も高く、それより右側に順次位置する補強部１２２は高さが順次低くなっている。したがって、補強部１２２によってスピーカグリル１０３の外周縁部を背面側（裏面側）から十分に補強しつつスピーカグリル１０３の開口率の低下を抑制できる。
さらに、樹脂製のスピーカグリルであると、パンチングメタルで形成されたスピーカグリルに比して開口率が低下するが、本実施の形態ではスピーカグリル１０３がパンチングメタルで形成されているので、この点においても開口率低下を抑制できる。
【００３５】
また、薄板状のパンチングメタルの端部を折り曲げ加工することによって当該パンチングメタルの外周縁部の強度を高めることができる反面、折り曲げ加工の分加工コストが高くなるが、本実施の形態では、薄板状のパンチングメタルで形成されたスピーカグリル１０３の外周縁部が当接面１２１および補強部１２２に当接されているので、上述した折り曲げ加工を施さなくても、当接面１２１および補強部１２２によってスピーカグリル１０３の外周縁部を補強できる。
加えて、スピーカグリル１０３の前方に前側部材１１０が設けられ、スピーカグリル１０３の外周縁部は、前側部材１１０の受面１１０ａとスピーカベース１０２の当接面１２１によって挟み付けられているので、スピーカグリル１０３の外周縁部を受面１１０ａと当接面１２１とによって補強できるとともにスピーカグリル１０３を確実に固定できる。
【符号の説明】
【００３６】
１０１  スピーカ
１０２  スピーカベース
１０３  スピーカグリル
１１０  前側部材
１２１  当接面
１２２  補強部
【図１】
2019017529.tif 000003
【図２】
2019017529.tif 000004
【図３】
2019017529.tif 000005
【図４】
2019017529.tif 000006
【図５】
2019017529.tif 000007
【図６】
2019017529.tif 000008
【図７】
2019017529.tif 000009
【図８】
2019017529.tif 000010
【図９】
2019017529.tif 000011